(57)【特許請求の範囲】
【請求項１】
移動局を基地局に登録するための移動局における方法であって、
第１のリストで識別されるセルの数を判定することと、
前記第１のリストで識別されるセルの数が、予め定めた制限に等しければ、前記移動局を前記基地局に登録することと、
前記移動局を登録した後に、前記移動局が最後に登録したセルとは異なり、前記第１のリストで識別されるセルを、第２のリストに移動することと、
パイロット信号の強度が、予め定めた閾値以上であるセルが、前記第２のリストに含まれていなければ、前記セルを前記第１のリストに加えることと
を含む方法。
【請求項２】
移動局に備えられ、前記移動局を基地局に登録する装置であって、
第１のリストで識別されるセルの数を判定する手段と、
前記第１のリストで識別されるセルの数が、予め定めた制限に等しいのであれば、前記移動局を前記基地局に登録する手段と、
前記移動局を登録した後に、前記移動局が最後に登録したセルとは異なり、前記第１のリストで識別されるセルを、第２のリストに移動する手段と、
パイロット信号の強度が、予め定めた閾値以上であるセルが、前記第２のリストに含まれていなければ、前記セルを前記第１のリストに加える手段と
を備えた装置。
【請求項３】
移動局に備えられたコンピュータに、第１のリストで識別されるセルの数を判定させるコードと、
前記第１のリストで識別されるセルの数が、予め定めた制限に等しければ、前記コンピュータに、前記移動局を前記基地局に登録させるコードと、
前記コンピュータに前記移動局を登録させた後に、前記移動局が最後に登録したセルとは異なり、前記第１のリストで識別されるセルを、前記コンピュータに、第２のリストに移動させるコードと、
パイロット信号の強度が、予め定めた閾値以上であるセルが、前記第２のリストに含まれていなければ、前記コンピュータに、前記セルを前記第１のリストに加えさせるコードと
を含むコンピュータプログラム。
【請求項４】
移動局であって、
基地局から情報を受信できる受信機と、
情報を前記基地局に送信できる送信機と、
前記移動局を基地局に登録し、
第１のリストで識別されるセルの数を判定し、
前記第１のリストで識別されるセルの数が、予め定めた制限に等しければ、前記移動局を前記基地局に登録し、
前記移動局を登録した後に、前記移動局が最後に登録したセルとは異なり、前記第１のリストで識別されるセルを、第２のリストに移動することができるプロセッサと
を備え、
前記プロセッサは更に、パイロット信号の強度が、予め定めた閾値以上であるセルが、前記第２のリストに含まれていなければ、前記セルを前記第１のリストに加えることができる移動局。
【発明の詳細な説明】
【技術分野】
【０００１】
本発明は、ポイントトゥマルチポイント通信システムに関する。より詳しくは、無線グループ通信ネットワークにおいてページするエリア同様に、登録の頻度を最小にする方法及び装置に関する。
【背景技術】
【０００２】
無線通信システムでは、登録は、移動局が、基地局に、その位置、状態、識別、スロットサイクル、及びその他の特性を通知する処理である。移動局は、基地局に、その位置及び状態を知らせる。これによって、基地局は、移動局終了通話（mobile station-terminated call）を確立したとき、移動局を効率的にページすることができる。一方、移動局をページすることは、通話がその移動局に申し込まれるときに、その移動局を探す動作を含む。システム能力を節約し、サービスコストを低減し、バッテリ寿命を延ばすために、チャネル負荷をページすることと同様に、登録を最小にすることが望ましい。しかしながら、登録を最小にする動作は、ページングエリア内にかなりの増加を伴い、もって、ページングチャネル負荷が増加する。現在の登録とページング技術は、移動局の移動に基づいて最適化されていない。
【０００３】
例えば、迅速で、効率的な、１対１又は１対多の通信を意図した無線サービスのクラスは、何年もの間、様々な形式で存在してきた。一般に、これらのサービスは、ユーザが電話／無線上のプッシュトゥトーク（ＰＴＴ）ボタンを押してグループ通話を開始する半二重になっている。もしも権限が与えられれば、話者は、一般に数秒話す。話者が、ＰＴＴボタンを離すと、他のユーザが権限を要求する。これらのサービスは、例えばフィールドサービス要員やタクシー運転手のようなグループの人々と、１人の人である「ディスパッチャ」が通信を必要とするようなアプリケーションで伝統的に使用されている。これが、このサービスに対する「ディスパッチ」という名前が由来したところである。同様なサービスは、インターネット上で提供されており、一般に「音声チャット」として知られている。これらサービスの重要な特徴は、グループ通話に参加している移動局は、一般に、低い移動性になる傾向にあることである。従って、登録とページングとが、それに応じて最適化されうる。
【０００４】
従って、より広いエリアにおいて、ページする必要なく登録を最小にするメカニズムに対するニーズがある。また、移動局の移動に基づいて、移動局のグループのページング及び登録を最適化するニーズもある。
【特許文献１】米国特許出願１０／０７６，７２６号
【非特許文献１】ＴＩＡ／ＥＩＡ／ＩＳ−７０７−Ａ−２,"Data Service Option Standard for Spread Spectrum Systems"，Addendum ２（ＩＳ−７０７−Ａ−２）,２０００年６月
【非特許文献２】ＴＩＡ／ＥＩＡ／ＩＳ−２００１−Ａ,"Interoperability Specification (IOS) for cdma2000 Access Network Interfaces"（ＩＳ−２００１−Ａ）、２００１年８月
【非特許文献３】ＴＩＡ／ＥＩＡ／ＩＳ−２０００．５−Ａ，"Upper Layer (Layer 3) Signaling Standard for cdma2000 Spread Spectrum Systems"（ＩＳ−２０００規格）、２０００年１１月
【発明の開示】
【０００５】
開示された実施例は、無線通信ネットワークにおいて、移動局のページング及び登録を最適化する斬新でかつ改良された方法及び装置を提供する。１つの局面では、基地局（ＢＳ）に移動局（ＭＳ）を登録するためのＭＳ内の方法は、第１のリストで識別されるセルの数を判定することと、もしも第１のリストで識別されるセルの数が、あらかじめ定めた制限に等しければＭＳをＢＳに登録することとの各ステップを含む。
【０００６】
１つの局面では、目標移動局（ＭＳ）をページするための方法は、目標ＭＳに向けられた情報を受信することと、前記目標移動局が最後に登録したセルに中心があり、前記セルの周囲に、予め定めた数のセルまで拡張するページングエリアにおいて目標移動局をページすることとの各ステップを含む。
【０００７】
別の局面では、目標移動局（ＭＳ）をページする装置は、メモリユニット、受信機、送信機、及びプロセッサを含む。このプロセッサは、メモリユニット、受信機、及び送信機に通信可能に接続されている。プロセッサは、上述した方法を実行するための命令を実行することができる。
【発明を実施するための最良の形態】
【０００８】
本発明の特徴及び利点は、以下を説明する図面と関連した実施例の詳細記載からより明らかになるであろう。
【０００９】
幾つかの実施例が詳細に説明される前に、本発明の範囲は、以下の記載又は図面で示された構成要素の配置及び構成の詳細に限定されるべきではないことが理解されるべきである。また、ここで用いられた用語及び専門語は、記述の目的のためであり、限定とみなされるものではないと理解されるべきである。
【００１０】
図１は、１つの実施例を実施するためのものであり、グループ通信システム１００の機能ブロック図を示している。グループ通信システム１００はまた、プッシュトゥトーク（ＰＴＴ）システム、ネットブロードキャストサービス（ＮＢＳ）、ディスパッチシステム、又はポイントトゥマルチポイント通信システムとしても知られている。１つの実施例では、グループ通信システム１００は、グループ通話サーバ１０２を含んでいる。これは、中央配置、あるいは地域配置の何れかによって配置される。
【００１１】
例えば、ｃｄｍａ２０００ハンドセットでありうるグループ移動局（ＭＳ）１０４，１０６は、データサービスオプションを使って、パケットデータセッションを要求する。それぞれのＭＳは、そのインターネットプロトコル（ＩＰ）アドレスを、グループ通話サーバ１０２に登録するためにこのセッションを使用し、グループ通話開始を実行する。１つの実施例では、グループ通話サーバ１０２は、サービスプロバイダのネットワーク１１６を通ってサービスプロバイダのパケットデータサービスノード（ＰＤＳＮ）１１４に接続されている。移動局１０４，１０６は、無線インフラストラクチャからパケットデータセッションを要求すると、ＰＤＳＮ１１４を通ってグループ通話サーバ１０２へのＩＰ接続を持つ。それぞれのＰＤＳＮは、パケット制御機能（ＰＣＦ）１０８とネットワーク１１２とを通って基地局コントローラ（ＢＳＣ）と対話する。ＰＣＦは、基地局（ＢＳ）１１０内でＢＳＣとともに同一場所に配置される。多くのＢＳＣが、移動局コントローラ（ＭＳＣ）１１８に接続されうる。
【００１２】
パケットデータサービスノードは、例えばアクティブ又は接続された状態、休止状態、及びヌル又はインアクティブ状態のような様々な状態のうちの１つになる。アクティブ又は接続された状態では、アクティブなトラフィックチャネルが、参加しているＭＳと、ＢＳ又はＢＳＣとの間に存在し、何れの側もデータを送ることができる。休止状態では、アクティブなトラフィックチャネルは、参加しているＭＳとＢＳＣとの間に存在しないが、ポイントトゥポイントプロトコル（ＰＰＰ）リンクが、参加しているＭＳとＰＤＳＮとの間で維持される。ヌル又はインアクティブな状態では、参加しているＭＳとＢＳＣとの間にアクティブなトラフィックチャネルは存在せず、参加しているＭＳとＰＤＳＮとの間にＰＰＰリンクは維持されない。パワーアップした後、移動局１０４，１０６は、パケットデータセッションを要求することができる。パケットデータセッションを確立することの一部として、ＭＳにはそれぞれ、ＩＰアドレスが割り当てられる。ＭＳはそれぞれ、登録処理を実行し、グループ通話サーバ１０２にＭＳのＩＰアドレスを通知する。登録は、ユーザデータグラムプロトコル（ＵＤＰ）の上のセッション開始プロトコル（ＳＩＰ）などのＩＰプロトコルを使って実行できる。ＭＳのＩＰアドレスは、対応するユーザがグループ通話に招かれたときに、ＭＳにコンタクトするために使用される。
【００１３】
グループ通話が一旦確立されると、移動局１０４，１０６と、グループ通話サーバ１０２とは、メディア及びシグナリングメッセージを交換する。１つの実施例では、メディアは、ＵＤＰ上のリアルタイムプロトコル（ＲＴＰ）を用いて、参加している移動局と、グループ通話サーバとの間で交換される。このシグナリングメッセージはまた、ＵＤＰ上のシグナリングプロトコルを使っても交換される。
【００１４】
グループ通信システム１００は、グループ通話サービスを提供するために幾つかの異なる機能を実行する。ユーザ側に関連する機能は、ユーザ登録、グループ通話開始、グループ通話終了、グループ参加者への警告の送信、グループ通話への遅れた参加、話者アービトレーション、グループへのメンバの追加、グループからのメンバの除去、メンバの登録取り消し、ユーザ及び／又はデバイスの認証を含む。システム準備及び動作に関する機能は、管理と規定、スケラビリティ、及び信頼性を含む。これら機能は、同時係属中であって、２００２年２月１４日になされた米国特許出願１０／０７６，７２６号（特許文献１）に詳細に記述されている。これは、同一譲受人に譲渡され、その全体を本願に引用して援用する。
【００１５】
図２は、基地局２０４と移動局２０６の実施例を示す簡易ブロック図である。これらはここで開示された様々な実施例を実施することができる。具体的な通信、音声データ、パケットデータ、及び／又はメッセージは、エアインタフェース２０８を経由して、基地局２０４と移動局２０６との間で交換される。例えば、基地局と移動局との間の通信セッションを確立するために使用されるメッセージ、登録及びページングメッセージ、データ送信を制御するために使用されるメッセージ（例えば、電力制御、データレート情報、アクノレッジメント等）のような種々の種類のメッセージが送信される。これらのメッセージ種類の幾つかは、以下に更に詳細に説明される。
【００１６】
逆方向リンクでは、移動局２０６において、（例えば、データソース２１０からの）音声及び／又はパケットデータと、（例えば、コントローラ２３０からの）メッセージとは、送信（ＴＸ）データプロセッサ２１２に提供される。送信（ＴＸ）データプロセッサ２１２は、１つ又は複数の符号化スキームを用いてこのデータ及びメッセージを符号化し、符号化データを生成する。各符号化スキームは、巡回冗長検査（ＣＲＣ）、畳み込み、ターボ、ブロック、及びその他の符号化の任意の組み合わせを含むか、あるいは符号化することを全く含まない。音声データ、パケットデータ、及びメッセージは、異なるスキームを使って符号化され、異なるタイプのメッセージが別の方法で符号化される。
【００１７】
その後、この符号化データは、変調器（ＭＯＤ）２１４に提供され、更に（例えば、カバー、短ＰＮシーケンスを用いた拡散、及びユーザ端末に割り当てられた長ＰＮシーケンスを用いたスクランブル等により）処理される。変調されたデータはその後、送信機ユニット（ＴＭＴＲ）２１６に提供され、ここで（例えば１つ又は複数のアナログ信号への変換、増幅、フィルタ、及び直交変調等による）処理がなされ、逆方向リンク信号が生成される。この逆方向リンク信号は、デュプレクサ（Ｄ）２１８を通ってルーティングされ、アンテナ２２０を経由して基地局２０４へ送信される。
【００１８】
基地局２０４では、逆方向リンク信号がアンテナ２５０によって受信され、デュプレクサ２５２を通ってルーティングされ、受信機ユニット（ＲＣＶＲ）２５４に提供される。基地局２０４は、移動局２０６から例えば移動局移動速度のような状態情報及び登録情報を受信する。受信機ユニット２５４は、この受信した信号を（例えば、フィルタ、増幅、ダウンコンバート、及びデジタル化により）処理し、サンプルを提供する。復調器（ＤＥＭＯＤ）２５６は、このサンプルを受信して、（例えば逆拡散、デカバ、及びパイロット復調により）処理し、復元されたシンボルを提供する。復調器２５６は、受信した信号の複数のインスタンスを処理し、結合されたシンボルを生成するレーキ受信機を実装しうる。その後、受信（ＲＸ）データプロセッサ２５８は、このシンボルをデコードして、逆方向リンクで送信されたデータとメッセージを復元する。この復元された音声／パケットデータは、データシンク２６０に提供され、復元されたメッセージは、コントローラ２７０に提供される。コントローラ２７０は、ページングエリアを決定し、移動局のグループをページングし、移動局に情報を送るための命令を含む。復調器２５６及びＲＸデータプロセッサ２５８による処理は、移動局２０６で実行されたものと相補的である。復調器２５６及びＲＸデータプロセッサ２５８は更に、例えば、逆方向基本チャネル（Ｒ−ＦＣＨ）及び逆方向補足チャネル（Ｒ−ＳＣＨ）のような複数のチャネルを経由して受信した複数の送信を処理するために操作される。また、送信は、それぞれが逆方向基本チャネル、逆方向補足チャネル、又はその両方で送信する複数の移動局から同時になされうる。
【００１９】
順方向リンクでは、基地局２０４において、（例えば、データソース２６２からの）音声及び／又はパケットデータと、（例えば、コントローラ２７０からの）メッセージとが送信（ＴＸ）データプロセッサ２６４によって処理（例えば、フォーマット及び符号化）され、更に、変調器（ＭＯＤ）２６６によって処理（例えば、カバー及び拡散）され、送信機ユニット（ＴＭＴＲ）２６８によって処理（例えば、アナログ信号への変換、フィルタ、直交変調）され、順方向リンク信号を生成する。この順方向リンク信号は、デュプレクサ２５２を通ってルーティングされ、アンテナ２５０を経由して移動局２０６へ送信される。順方向リンク信号は、ページング信号を含む。
【００２０】
移動局２０６では、順方向リンク信号がアンテナ２２０によって受信され、デュプレクサ２１８を通ってルーティングされ、受信機ユニット２２２に提供される。受信機ユニット２２２は、受信した信号を処理（例えば、ダウンコンバート、フィルタ、増幅、直交変調、及びデジタル化）し、サンプルを提供する。このサンプルが、復調器２２４によって処理（例えば、逆拡散、デカバ、及びパイロット復調）されてシンボルが提供される。そしてこのシンボルは更に、受信データプロセッサ２２６によって処理（例えば、デコード及びチェック）され、順方向リンクで送信されたデータ及びメッセージを復元する。この復元されたデータは、データシンク２２８に提供され、復元されたメッセージは、コントローラ２３０に提供される。コントローラ２３０は、アクティブセット内のパイロット信号の数を判定し、アクティブセット内に新たなパイロットを加え、１つのリストから別のリストへとパイロット信号を移動し、移動局２０６を登録し、この登録情報を基地局２０４に提供するための命令を含む。
【００２１】
グループ通話サービス（ＧＣＳ）によって、１人のユーザが、半二重化又は完全二重化モードのユーザのグループへの通話が可能となる。前者の場合、１度に１人の人しか話すことを許可されていないので、話す許可は、インフラストラクチャによって調整される。そのようなシステムでは、ユーザは、例えば、「プッシュトゥトーク」ボタン（ＰＴＴ）を押すことによって話す許可を求める。このシステムは、複数のユーザから受信した要求をアービトレートし、コンテンション解決処理を通じて、予め定めたアルゴリズムに従って、これら要求者のうちの１人を選択する。その後このシステムは、選択されたユーザに対して、話す許可が得られたことを通知する。このシステムは、許可された話者から、「聞き手」と考えられるグループの残りのメンバへの例えば音声及び／又はデータのようなユーザのユーザトラフィック情報を透過的にディスパッチする。ＧＳＣにおける音声及び／又はデータトラフィックは、古典的な１対１電話通話とは異なり、幾つかの会話に優先度が設定される。
【００２２】
図３は、移動局（ＭＳ）３０２，３０４，３０６がどのようにグループ通話サーバ３０８と対話するのかを示すためのグループ通話配置を示す。複数グループ通話サーバは、大規模グループのために望まれるように配置される。図３では、ＭＳ３０２がグループの他のメンバへメディアを送信する許可を持っている場合、ＭＳ３０２は、話者として知られ、確立されたチャネルによってメディアを送信する。ＭＳ３０２が話者として指定された場合、残りの参加者ＭＳ３０４及びＭＳ３０６は、メディアをグループに送信する許可を持たない。従って、ＭＳ３０４とＭＳ３０６は、聞き手として指定される。上記説明のように、ＭＳ３０２，３０４，３０６は、少なくとも１つのチャネルを用いてグループ通話サーバ３０８に接続されている。１つの実施例では、チャネル３１０，３１２，３１４は、セッション開始プロトコル（ＳＩＰ）チャネルと、メディアシグナリングチャネルと、メディアトラフィックチャネルとを含む。
【００２３】
図４は、図１のシステムで動作するグループ通話サーバ１０２のための１つの実施例を示す。グループ通話サーバは、データの送受信のためのアンテナ４０２，４０４を含む。アンテナ４０２は、受信機回路４０６に接続され、アンテナ４０４は、送信機回路４０８に接続されている。通信バス４１０は、図４における他のモジュール間の共通の接続を提供する。通信バス４１０は更に、メモリユニット４１２に接続している。メモリ４１２は、グループ通話サーバによって実行される様々な動作及び機能のためのコンピュータ読取可能な命令を格納する。プロセッサ４１４は、メモリ４１２に格納された命令を実行する。
【００２４】
図５は、１つの実施例に従って、グループ通話設定を示すメッセージフロー図である。グループ通話の開始を望むユーザは、１人又は複数の目標ユーザ、１つ又は複数の予め定義したグループ、あるいはこれらの組み合わせを選択し、ＭＳ上のプッシュトゥトーク（ＰＴＴ）ボタンを押す。呼出人がグループ通話を開始するとき、呼出人のＭＳは、休止パケットデータセッションにあるかも知れない。その後、呼出人のＭＳは、グループ通話サーバにグループ通話要求を送り、グループ通話を設定する（５０２）。このグループ通話要求は、呼出人のＭＳが専用トラフィックチャネルを持つ持たないに関わらず送信される。グループ通話要求が送られた後、もしも呼出人のＭＳが休止パケットデータセッションにあるのであれば、呼出人のＭＳは、専用トラフィックチャネルを再確立する処理を開始し、メディアアクティビティのためのパケットデータセッションを準備する。
【００２５】
グループ通話サーバがグループ通話要求を受信すると、グループ通話サーバは、もしも何れかがグループ通話要求で指定されていれば、予め定義したグループを、グループメンバのリストに広げる。グループ通話サーバは、望まれたグループメンバのための位置情報を検索する。グループ通話サーバはまた、目標グループが既にシステム内で動作しているか否かを判定する。
【００２６】
グループ通話サーバは、グループメンバのうちの少なくとも１人の位置を突き止めた後、呼出人のＭＳに、グループ通話が設定されていることを示すアナウンスメントを送り戻す（５０４）。この時に、呼出人のＭＳは、呼出人の話要求を楽観的に許可する。呼出人のＭＳは、グループ通話サーバへの将来の送信のために受信したメディアをバッファすることを開始する。グループ通話サーバは、目標とする聞き手の移動局の位置情報を用いて、アナウンスメントを、目標とする聞き手の移動局に送る（５０６）。このアナウンスメントを送ることは、目標とする聞き手の移動局のパケットデータセッションが、休止から出て、トラフィックチャネルを再確立するようにトリガする。
【００２７】
「即時の応答」は、グループ通話サーバが、ＰＴＴ又はグループ通話要求に応答するのに要する応答時間に関連する。ＰＴＴ又はグループ通話要求へ応答することの目標は、例えば１秒又はそれ未満のような予め定めた時間内にこの要求に対して堅実に応答することである。多くの場合、呼出人がグループ通話を設定するよう要求したときには、呼出人のパケットデータセッションは休止している。これは、専用のトラフィックチャネルが存在しないことを意味する。専用のトラフィックチャネルを再確立することは、かなりの時間を必要とする。
【００２８】
１つの実施例では、グループ通信システム１００（図１）は、グループ通話サービスのためにａｄ−ｈｏｃモデルとチャットルームモデルとの両方をサポートする。チャットルームモデルでは、グループが予め定義される。これは、グループ通話サーバ上に格納される。この予め定義されたグループ、又はネットは公開かもしれない。これは、このグループがオープンなメンバリストを持っていることを暗示する。この場合、各グループメンバは、グループ通話における潜在的な参加者である。第１のグループメンバがグループ通話の開始を始めた時に、グループ通話が開始される。この通話は、サービスプロバイダによって設定された予め定めた時間期間にわたって動作し続ける。グループ通話の間、グループメンバは、この通話に参加するか、抜けるかを具体的に要求する。話が不活発な時間の間に、グループ通話は、グループメンバが話しの許可を要求するまでグループ休止状態になる。チャットルームモデル内で動作しているとき、ネットメンバとしても知られているグループメンバは、各ネットメンバに割り当てられた移動局を用いて、互いに通信する。用語「ネット」は、互いに通信することが許可されたメンバのグループを示す。
【００２９】
しかしながら、ａｄ−ｈｏｃモデルのグループ通話サービスでは、グループは、リアルタイムで定義され、各グループに関連した閉じられたメンバリストを持つ。閉じられたメンバリストは、どのメンバがグループ通話への参加が許可されたのかを特定する。このメンバリストは、閉じられたメンバリスト以外には利用可能ではないかもしれず、通話の寿命の間のみ存在するかもしれない。ａｄ−ｈｏｃグループ定義は、グループ通話サーバに格納されない。この定義は、グループ通話を確立するために使用され、この通話が終了した後に解放される。ａｄ−ｈｏｃグループは、呼出人が１つ又は複数の目標メンバを選択し、グループ通話要求を生成したときに形成される。この要求は、通話を開始するためにグループ通話サーバに送られる。グループ通話サーバは、目標グループメンバに対して、彼らがグループに含まれているという通知を送る。グループ通話サーバは、目標メンバをグループ通話に自動的に加入させる。すなわち、目標メンバからは何の動作も必要とされない。ａｄ−ｈｏｃ通話がインアクティブになると、グループ通話サーバは、この通話を「テイアダウン」し、通話を開始するために使用されるグループ定義を含むグループに割り当てられたリソースを解放する。
【００３０】
（ネットワークから開始された通話シグナリングメッセージ）  
１つの実施例では、権限制御要求を受信した後、グループ通話サーバは、休止目標移動局のグループへのメディアシグナリングメッセージをバーストし、休止目標移動局に対して、専用トラフィックチャネルを再確立するようにトリガする。１つの実施例では、パケット制御機能（ＰＣＦ）が例えばパケットデータのような少量の情報を、休止目標ＭＳに向けられたパケットデータサービングノード（ＰＤＳＮ）から受信する。ＰＣＦは、この情報を特別な形式で基地局コントローラ（ＢＳＣ）に送ることを選択することができる。１つの実施例では、この特別な形式は、ＴＩＡ／ＥＩＡ／ＩＳ−７０７−Ａ−２，"Data Service Option Standard for Spread Spectrum Systems" Addendum ２，２０００年６月（ＩＳ−７０７−Ａ−２）（非特許文献１）で具体化されているショートデータバースト（ＳＤＢ）フォーマットを含む。ＴＩＡ／ＥＩＡ／ＩＳ−２００１−Ａ，"Interoperability Specification (IOS) for cdma2000 Access Network Interfaces"，２００１年８月（ＩＳ−２００１−Ａ）規格（非特許文献２）は、ＢＳＣが、目標移動局にＳＤＢメッセージを配信する幾つかのオプションを定義している。
【００３１】
ＩＳ−２００１−Ａ規格によれば、例えば、ＰＣＦにおいて休止目標ＭＳに向けられた少量のデータが受信されると、ＰＣＦは、受信したデータを、ＳＤＢフォーマットでＢＳＣに送ることを選択する。もしもデータを休止目標ＭＳに配信するためにショートデータバーストが使用されているとＢＳＣが判定すると、ＢＳＣは、このデータを、シグナリングチャネルによって休止目標ＭＳに直接的に送信する。ＢＳＣは、アプリケーションデータ配信サービス（ＡＤＤＳ）ページを経由して休止目標MSへ配信するためにこのデータをＭＳＣにも送る。このデータは、ＢＳＣサービス要求／応答処理を用いてＭＳＣに配信されるかもしれない。もしもＢＳＣが、自分自身の休止目標ＭＳへのＳＤＢデータの配信に失敗すると、ＢＳＣは、ＡＤＤＳページ処理を経由して休止目標MSに配信するために、このデータをＭＳＣに送ることを選択する。
【００３２】
図６は、１つの実施例に従って、データを目標ＭＳに配信するための通話フロー処理を示す。パケットデータセッションは、接続されたＰＰＰとともに休止状態にある（６０２）。ＰＤＳＮは、目標ＭＳに関連した既存のＰＰＰ接続上で、パケットデータをＰＣＦに送る（６０４）。ＰＣＦは、このパケットデータをＢＳＣに送る（６０６）。ＰＣＦは、パケットデータのバッファも行う。ＢＳＣは、ＰＣＦからのデータパケットを受信したことを、アクノレッジメッセージを返すことによりアクノレッジする（６０８）。このメッセージは、ＢＳＣがこのデータを目標ＭＳに送ることを試みているという表示を含む。その後ＰＣＦは、バッファしたデータを破棄する。
【００３３】
ＢＳＣは、パケットデータを目標ＭＳに直接送るか、あるいは、ＢＳＣは、ＡＤＤＳページ処理を用いて、例えばＳＤＢ形式で、このパケットデータを目標ＭＳに配信する。もしもＢＳＣがパケットデータ６１０を目標ＭＳへ直接送るのであれば、目標ＭＳは、データの受信に応答して、アクノレッジメント６１２を送る。もしもアクノレッジメントが目標ＭＳから受信されなければ、ＢＳＣは、パケットデータを送ることを選択しないか、又は、ＭＳＣに対して、ＡＤＤＳページ処理を経由してパケットデータを配信するように要求する。
【００３４】
もしもＢＳＣがパケットデータ６１０を目標ＭＳにうまく送れないのであれば、ＢＳＣは、このパケットデータを含む「ＢＳＣサービス要求」６１４をＭＳＣに送る。ＭＳＣは、「ＢＳＣサービス応答」６１６をＢＳＣに送ることによってＢＳＣサービス要求メッセージを受信したことをアクノレッジする。その後ＭＳＣは、パケットデータを目標ＭＳに配信するためにＡＤＤＳページメッセージ６１８をＢＳＣに送る。もしもＭＳＣがこのパケットデータを送ると、ＭＳＣは、「ＳＤＢ」に対する「ＡＤＤＳページ」内のデータタイプフィールドを特定する。ＡＤＤＳページメッセージは、目標ＭＳのための位置情報を含む。従って、ＢＳＣはデータ６２０を、例えばＳＤＢ形式で、目標ＭＳに転送する。目標ＭＳは、ＢＳＣからのデータを受信した後、アクノレッジメントメッセージ６２２を送る。もしもＭＳＣがＡＤＤＳページメッセージ内で要求したのであれば、ＢＳＣは、目標ＭＳからのアクノレッジメントメッセージを受信した後、ＡＤＤＳページアクノレッジメントメッセージ６２４をＭＳＣに戻す。ＢＳＣはまた、更新メッセージ６２６をＰＣＦに送り、成功したデータの送信を目標ＭＳに示す。ＰＣＦは、更新アクノレッジメッセージとともにＢＳＣに応答する（６２８）。ＰＣＦは、登録要求（６３０）をＰＤＳＮに送る。ＰＤＳＮは、登録応答メッセージ（６３２）とともに応答する。
【００３５】
ＢＳＣに、パケットデータを目標ＭＳに直接配信させることは、遅延を最小にする。しかし、目標ＭＳはこのデータを受信しない。なぜなら、目標ＭＳは、このデータが到着するまでに、ＢＳＣのページングエリアの外に移動してしまっているからである。ＭＳＣは、目標ＭＳのための位置情報を維持するので、ＡＤＤＳページデータ配信処理は、目標ＭＳがこのデータを受信したことを保証する。１つの実施例では、ＢＳＣは、目標ＭＳのための位置情報をキャッシュする。この位置情報は、目標ＭＳに向けられたデータがある場合に、ＢＳＣによって使用される。ＢＳＣにおいてキャッシュされた位置情報を用いることは、ＢＳＣがＭＳＣに対してＡＤＤＳページを送るように要求することによる遅延を取り除く。この処理は、記録された位置情報に基づく目標ＭＳへの保証されたデータ配信を提供する。
【００３６】
移動局のための位置情報をキャッシュする１つの実施例を図７に示す。ＢＳＣが目標ＭＳからページ応答７０６を受信したか、又はＭＳＣから「位置更新受諾」メッセージ７０８を受信した後に、ＢＳＣは、目標ＭＳの位置情報をキャッシュする（７０２，７０４）。目標ＭＳから受信されたページ応答メッセージは、例えばセル位置エリアコード（ＬＡＣ）のような目標ＭＳの位置を特定するセル識別子フィールドを含む。１つの実施例では、ＢＳＣは、目標ＭＳの登録メッセージから目標ＭＳの位置情報を取得する。例えば、２０００年１１月に発行されたＴＩＡ／ＥＩＡ／ＩＳ−２０００．５−Ａ，"Upper Layer (Layer 3) Signaling Standard for cdma2000 Spread Spectrum Systems"（ＩＳ−２０００規格）（非特許文献３）によって定義された幾つかの異なる登録タイプがある。これら登録種類の何れかは、目標ＭＳの位置に関するＢＳＣ情報を提供する。もしもＢＳＣが、ページ応答、登録応答、発信元メッセージ、又は目標ＭＳのための現在の位置情報を提供するその他のシグナリングメッセージを受信すれば、このＢＳＣは、キャッシュされた位置情報を更新する。
【００３７】
（ネットワーク構成）  
ネットワークにおける個々のＰＣＦは、システム識別／ネットワーク識別／パケットゾーン識別（ＳＩＤ／ＮＩＤ／ＰＺＩＤ）コードによってユニークに識別される。休止パケットデータセッションの間に、目標ＭＳがあるＰＣＦから別のＰＣＦに移動する、すなわちＰＣＦからＰＣＦへのハンドオフの場合、目標ＭＳは、ＰＤＳＮに対して新たなＰＣＦとのインタフェースを確立させるように再登録して、古いＰＣＦとの既存の接続を終了するように要求される。
【００３８】
１つの実施例では、図８に示すように、ＢＳＣとＰＣＦとが同一場所に配置される。パケットデータがＰＣＦに到着し、ＰＣＦがこのパケットデータを送ると決めたときには、目標ＭＳは、同じＢＳＣのサービスエリアの下にほぼ確実にあるであろう。さもなければ、目標ＭＳは、再登録するように要求され、異なるＰＣＦとの新たな接続が確立されていよう。
【００３９】
１つの実施例では、図９に示すように、ＢＳＣとＰＣＦとが同一場所に配置される。図９では、ＢＳＣ１が、同じＰＣＦに接続されている他のＢＳＣと完全に相互接続して示されている。同じＰＣＦに接続されているＢＳＣは、ポイントトゥポイントリンク、又は切換ネットワークかの何れかを経由して相互接続される。ＢＳＣとＰＣＦとが同一場所に配置されているシナリオと違って、ＰＣＦがデータをＢＳＣに送るときは、ＢＳＣ１は、目標ＭＳへのデータの配信に失敗するかもしれない。なぜなら、目標ＭＳは、ＢＳＣ１のサービスエリアの外に出て、別のＢＳＣのサービスエリアに移動しているかもしれないからである。例えば図９では、目標ＭＳは、パケットデータセッションが休止になる前に、ＢＳＣ１のサービスエリアに入り、ＢＳＣがＰＣＦから、データを目標ＭＳへ配信しろという要求を受けたとき、ＢＳＣ５のサービスエリアに移動してしまっている。
【００４０】
１つの実施例では、ＰＣＦがＢＳＣと同一場所に配置されているとき、ＢＳＣは、休止であるかもしれない目標ＭＳへの送信のためのパケットデータを受信する。ＢＳＣは、ＢＳＣのサービスエリア内のセクタ及び／又はセルにパケットデータをブロードキャストする。あるいは、エアリンクリソースの消費を減らすために、ＢＳＣは、既にＢＳＣにキャッシュされている目標ＭＳの位置情報を利用して、ＢＳＣによって制御されているセクタ及び／又はセルのサブセットへとデータをブロードキャストする。
【００４１】
１つの実施例では、図１０に示すように、ＰＣＦがＢＳＣと同一場所に配置されている場合、ＢＳＣは、目標ＭＳへ配信するためにＰＤＳＮからパケットデータ１００２を取得する。ＢＳＣがパケットデータ１００２を目標ＭＳに送る前に、ＢＳＣはまずパケットデータをバッファする。その後ＢＳＣは、目標ＭＳをページするためのページングゾーンを決定する（１００４）。これは後に詳述する。その後ＢＳＣは、ＢＳＣのサービスエリアの下にある決定されたページングゾーンに基づいてページメッセージ（１００６）を送信する。例えばマッチング移動識別番号（ＭＩＮ）又は、電子シリアル番号（ＥＳＮ）のような目標ＭＳの識別情報が、ページングメッセージで識別される識別情報と一致するのであれば、ＭＳはページング応答１００８をＢＳＣに送る。このページング応答は、目標ＭＳが配置されているセクタ及び／又はセルに関する情報を提供する。これによって、ＢＳＣは、パケットデータを、識別されたセル及び／又はセクタのみに送ることが可能となる。ＢＳＣは、目標ＭＳの位置情報をキャッシュする（１０１０）。その後、パケットデータを目標ＭＳに送る（１０１２）。キャッシュされた位置情報は、次のページ応答、登録応答、発信元メッセージ、又は、目標ＭＳのための位置情報を提供するその他のシグナリングメッセージによってリフレッシュされる。キャッシュされた位置情報は、タイマによって、エイジアウトされる。
【００４２】
（セルベースの登録計画）  
登録は、ＭＳが基地局に対してその位置、状態、識別、スロットサイクル、及びその他の特性を通知する処理である。ＭＳは、基地局に対してその位置と状態とを通知することによって、ＭＳ終了通話（MS-terminated call）を確立したとき、基地局は、効率的にＭＳをページできるようになる。ＭＳがアイドル状態にある間、アイドルハンドオフが発生すると、ＭＳは、登録を実行する。ＭＳアイドル状態の間、ＭＳが１つの基地局のカバーエリアから、別の基地局のカバーエリアに移動したとき、アイドルハンドオフが発生する。もしもＭＳが、現在の基地局のものよりも十分に強い別の基地局からのパイロットチャネル信号を検出すると、ＭＳは、アイドルハンドオフが発生すべきであると判定する。
【００４３】
アイドルハンドオフは、ＭＳがアイドル状態にある時に、転送共通制御チャネル、ブロードキャスト制御チャネル、又はページングチャネルの受信を、１つの基地局から別の基地局へと転送する動作である。アイドル状態にあるＭＳは、もしも新たなセルのパイロット信号強度が、そのアクティブセット内のパイロット信号よりも一定デシベル大きいのであれば、アイドルハンドオフが必要であると判定する。
【００４４】
ＭＳが別の状態からアイドル状態に遷移するとき、ＭＳはセルの２つのリストを初期化する。第１のリストは、現在セルリスト（ＣＵＲＲＥＮＴ＿ＣＥＬＬ＿ＬＩＳＴ）と名付けられ、第２のリストは、以前セルリスト（ＰＲＥＶ＿ＣＥＬＬ＿ＬＩＳＴ）と名付けられる。ＭＳがアイドルハンドオフを実行すると、もしも新たなセルがまだリスト内で識別されていなければ、移動局は、新たなセルの識別情報をＣＵＲＲＥＮＴ＿ＣＥＬＬ＿ＬＩＳＴに加える。ＭＳは、ブロードキャストされたオーバヘッドメッセージを聞くことによって、この新たなセルの情報を取得する。
【００４５】
１つの実施例では、もしもＣＵＲＲＥＮＴ＿ＣＥＬＬ＿ＬＩＳＴ内のセルの数が、例えばＭＡＸ＿ＮＵＭ＿ＣＥＬＬＳのように予め定めた制限に達すれば、ＭＳは、登録を実行し、最後の入力を除いたＣＵＲＲＥＮＴ＿ＣＥＬＬ＿ＬＩＳＴ内の入力を、ＰＲＥＶ＿ＣＥＬＬ＿ＬＩＳＴにコピーする。従って、ＰＲＥＶ＿ＣＥＬＬ＿ＬＩＳＴのサイズは、例えばＭＡＸ＿ＮＵＭ＿ＣＥＬＬＳのように予め定めた制限から１を引いたものに等しい。
【００４６】
図１１は、１つの実施例に従った登録処理を示す。ＣＵＲＲＥＮＴ＿ＣＥＬＬ＿ＬＩＳＴは、少なくとも、ＭＳが最後に登録したセルの情報を含む（１１０２）。ステップ１１０４では、ＭＳが、アクティブセットに加えられた新たなパイロット信号を検出すると、もしもこの新たなセルが、ＣＵＲＲＥＮＴ＿ＣＥＬＬ＿ＬＩＳＴ内でまだ識別されていなければ、ＭＳは、この新たなセルの識別情報をＣＵＲＲＥＮＴ＿ＣＥＬＬ＿ＬＩＳＴに加える。ステップ１１０６では、ＭＳが、ＣＵＲＲＥＮＴ＿ＣＥＬＬ＿ＬＩＳＴで識別されたセルの数が、例えばＭＡＸ＿ＮＵＭ＿ＣＥＬＬＳのような予め定めた制限に達したかを判定する。ステップ１１０８では、ＣＵＲＲＥＮＴ＿ＣＥＬＬ＿ＬＩＳＴ内のセルの数が、予め定めた制限に達したのであれば、ＭＳは登録を実行し、ステップ１１１０において、ＭＳが登録した最後に入ったセルを除いて、ＣＵＲＲＥＮＴ＿ＣＥＬＬ＿ＬＩＳＴ内のセルの識別情報を、ＰＲＥＶ＿ＣＥＬＬ＿ＬＩＳＴに移動する。
【００４７】
１つの実施例では、セルのレイアウトが図１２のように示される。予め定めた制限ＭＡＸ＿ＮＵＭ＿ＣＥＬＬＳを２、セルからセルへのＭＳの軌道をＡ１→Ｂ２→Ｃ３とし、モバイルが最後に登録したセルがＡ１  １２０２であると仮定すると、ＣＵＲＲＥＮＴ＿ＣＥＬＬ＿ＬＩＳＴは、セル｛Ａ１｝を含むであろう。ＭＳがセルＢ２  １２０４のパイロット信号を検出し、セルＢ２をＣＵＲＲＥＮＴ＿ＣＥＬＬ＿ＬＩＳＴに追加した後、後者は、セル｛Ａ１，Ｂ２｝を含む。ＭＳがセルＣ３  １２０６に向かって移動すると、ＭＳはセルＣ３を検出し、セルＣ３をＣＵＲＲＥＮＴ＿ＣＥＬＬ＿ＬＩＳＴに追加する。このときＣＵＲＲＥＮＴ＿ＣＥＬＬ＿ＬＩＳＴは、セル｛Ａ１，Ｂ２，Ｃ３｝を含む。ここで、ＣＵＲＲＥＮＴ＿ＣＥＬＬ＿ＬＩＳＴ内で識別されたセルの数は、例えば３のような予め定めた制限に等しいので、ＭＳは、ネットワークへの登録を実行し、セル｛Ａ１，Ｂ２｝を、ＣＵＲＲＥＮＴ＿ＣＥＬＬ＿ＬＩＳＴからＰＲＥＶ＿ＣＥＬＬ＿ＬＩＳＴに移動する。
【００４８】
移動局をページすることは、移動局に通話が申し込まれるときに移動局を探索する動作を含む。システム能力を温存し、サービスコストを低減し、バッテリ寿命を節約するために、ページングエリアを最小化し、ページングチャネル負荷を低減することが望ましい。ページングエリアは、所定のＢＳＣに対して、例えば予め定められたり、あるいは動的に決定されることによって設定される。ページングエリアは、異なるＢＳＣに対して異なるかもしれない。ＢＳＣは、設定されたページングエリア内の目標ＭＳをページする。もしも目標ＭＳが、設定されたＢＳＣのページングエリア内において位置決めすることができなければ、データは、目標ＭＳに配信されるために隣接ＢＳＣに送られる。従って、各ＢＳＣは、大きなエリア内において無駄にページする必要はない。もしも目標ＭＳが、移動局コントローラ（ＭＳＣ）に接続されたＢＳＣのページングエリア内に位置決めされず、ＭＳＣが目標ＭＳを位置決めできれば、データは、目標ＭＳに配信されるためにＭＳＣに送られる。
【００４９】
図１３は、１つの実施例に従って、ページングスキームを示している。ステップ１３０２では、ＢＳＣが、セルＸ内に位置している目標ＭＳから登録情報を受信する。ステップ１３０４では、ＢＳＣが、目標ＭＳに配信するために、例えばデータ、音声、画像、テキスト、映像、又はこれら任意の組み合わせである情報を受信すると、ＢＳＣは、予め定めたエリア、又は動的に定められたエリアであるページングエリアに基づいて目標ＭＳをページする。ステップ１３０６では、目標ＭＳが最後に登録したセルから、又はそのセルの周りのセルの一定数に基づいて、ページングエリアを設定する。例えば、ページングエリアは、セルＸに中心があり、かつ例えばＭＡＸ＿ＮＵＭ＿ＣＥＬＬＳから１を引いたような予め定めた数まで拡張されるエリアに入るセルを含みうる。
【００５０】
ステップ１３０８では、ＢＳＣが、設定されたページングエリアに基づいて、目標ＭＳをページした後、ＢＳＣは、目標ＭＳからのページング応答を待つ。ステップ１３１０では、もしもＢＳＣが、このページング応答から目標ＭＳを位置決めできれば、ＢＳＣは、目標ＭＳに向けられた情報を、目標ＭＳに送る。しかしながら、もしもＢＳＣが、このページング応答から目標ＭＳを位置決めできなければ、ＢＳＣは、隣接ＢＳＣに対して、目標ＭＳを位置決めするよう要求する。これは上述したものと同じページングスキームによってなされうる。ステップ１３１２において、もしも隣接ＢＳＣが目標ＭＳを位置決めすれば、ステップ１３１４では、ＢＳＣは、目標ＭＳに配信するために、目標ＭＳに向けられた情報を隣接ＢＳＣに送る。
【００５１】
もしもＭＳＣに接続されたＢＳＣがいずれも目標ＭＳを位置決めできなければ、ＭＳＣは、フラッドページングスキームに基づいて、目標ＭＳを位置決めするように要求される。ステップ１３１６において、もしもＭＳＣが目標ＭＳを位置決めすれば、ステップ１３１８では、この目標に向けられた情報を保持しているＢＳＣは、目標ＭＳに配信するために、この情報をＭＳＣに送る。ＭＳＣが、目標ＭＳを位置決めできない場合には、ターンオフ又は圏外によって、ＭＳは、発見されないかもしれない（１３２０）。
【００５２】
例えば、セルからセルへの目標ＭＳの軌道を「Ａ→Ｂ→Ｃ→Ｄ→Ｅ→Ｄ→Ｃ→Ｂ→Ｆ」、例えばＭＡＸ＿ＮＵＭ＿ＣＥＬＬＳのような予め定めた制限を３とし、ＭＳが最後に登録したセルをセルＡと仮定すると、ＣＵＲＲＥＮＴ＿ＣＥＬＬ＿ＬＩＳＴはセル｛Ａ｝を含むであろう。ＭＳがセルＢを検出し、セルＢをＣＵＲＲＥＮＴ＿ＣＥＬＬ＿ＬＩＳＴに加えた後、後者は、セル｛Ａ，Ｂ｝を含む。ＭＳがセルＣに向かって移動すると、ＭＳは、セルＣを検出し、セルＣをＣＵＲＲＥＮＴ＿ＣＥＬＬ＿ＬＩＳＴに加える。これによって、セル｛Ａ，Ｂ，Ｃ｝を含むようになる。ＣＵＲＲＥＮＴ＿ＣＥＬＬ＿ＬＩＳＴ内のセルの数は、例えば３のように予め定めた制限に等しいので、ＭＳは、セルＣにおける登録を実行し、セル｛Ａ，Ｂ｝をＣＵＲＲＥＮＴ＿ＣＥＬＬ＿ＬＩＳＴからＰＲＥＶ＿ＣＥＬＬ＿ＬＩＳＴに移動させる。
【００５３】
ＭＳがセルＤを通って、セルＥに移動すると、ＭＳは、セルＤ，ＥをＣＵＲＲＥＮＴ＿ＣＥＬＬ＿ＬＩＳＴに加える。これによって、セル｛Ｃ，Ｄ，Ｅ｝を含むようになる。ＣＵＲＲＥＮＴ＿ＣＥＬＬ＿ＬＩＳＴ内のセルの数は、例えば３のような予め定めた制限に等しいので、ＭＳは、セルＥにおいて登録を実行し、セル｛Ｃ，Ｄ｝を、ＣＵＲＲＥＮＴ＿ＣＥＬＬ＿ＬＩＳＴからＰＲＥＶ＿ＣＥＬＬ＿ＬＩＳＴに移動させる。
【００５４】
ＭＳがセルＤに戻り、その後セルＣに戻ると、ＭＳは、セルＤ，Ｃを、ＣＵＲＲＥＮＴ＿ＣＥＬＬ＿ＬＩＳＴに加えない。なぜなら、これらのセルは、既に現在のＰＲＥＶ＿ＣＥＬＬ＿ＬＩＳＴに含まれているからである。しかしながら、ＭＳがセルＢに戻ったとき、ＭＳは、セルＢの識別情報をＣＵＲＲＥＮＴ＿ＣＥＬＬ＿ＬＩＳＴに加える。なぜなら、セルＢは、セルＣ，Ｄを含むＰＲＥＶ＿ＣＥＬＬ＿ＬＩＳＴに含まれていないからである。
【００５５】
ＭＳが新たなセルＦを通って移動すると、ＭＳは、セルＦを検出し、セルＦをＣＵＲＲＥＮＴ＿ＣＥＬＬ＿ＬＩＳＴに加える。これにより、ＣＵＲＲＥＮＴ＿ＣＥＬＬ＿ＬＩＳＴは、セル｛Ｅ，Ｂ，Ｆ｝を含む。ＣＵＲＲＥＮＴ＿ＣＥＬＬ＿ＬＩＳＴ内のセルの数は、例えばＭＡＸ＿ＮＵＭ＿ＣＥＬＬＳのように予め定めた制限である３に等しいので、ＭＳは、セルＦにおける登録を実行し、セル｛Ｅ，Ｂ｝を、ＣＵＲＲＥＮＴ＿ＣＥＬＬ＿ＬＩＳＴからＰＲＥＶ＿ＣＥＬＬ＿ＬＩＳＴへ移動させる。
【００５６】
１つの実施例では、ＰＣＦがＢＳＣと同一場所に配置されておらず、ＢＳＣは、ＰＣＦからの要求を受信し、パケットデータを目標ＭＳに送る。ＢＳＣは、ＢＳＣが目標ＭＳのための位置情報をキャッシュしたかを判定する。もしもＢＳＣが、目標ＭＳのための位置情報をキャッシュしていれば、ＢＳＣは、保証されたデータ配信を実行することが可能となり、ＢＳＣは、キャッシュされた位置情報に従って、データを目標ＭＳに送る。さもなければ、もしもＢＳＣが目標ＭＳのための位置情報を持っていなければ、ＢＳＣは、ページメッセージを予め定めたページングゾーンに送り、目標ＭＳを位置決めする。もしもＢＳＣが目標ＭＳを位置決めできれば、ＢＳＣはその後、ＰＣＦから受信したデータを目標ＭＳに送る。しかしながら、もしもＢＳＣが、予め定めたページングゾーン内の目標ＭＳを位置決めできなければ、ＢＳＣはこのデータを、同じＢＳＣに接続している隣接ＢＳＣに送ることができる。これによって、目標ＭＳのための位置情報を持っているか、又は目標ＭＳを位置決めすることができる隣接ＢＳＣのうちの１つは、この情報を目標ＭＳに送信することができる。目標ＭＳのための位置情報をキャッシュしたか、あるいは目標ＭＳを位置決めできるＢＳＣは、このデータを目標ＭＳに配信する。もしもＢＳＣが目標ＭＳのための位置情報を持っていないか、目標ＭＳを位置決めできなければ、このデータは、ＢＳＣに送られ、例えばフラッドページングを経由して目標ＭＳに配信される。ＭＳＣは、目標ＭＳがターンオフ又は圏外であることによって、目標ＭＳを位置決めできないかもしれない。従って、開示された実施例は、ページングエリアと同様に、登録数のかなりの減少をもたらす。従って、バッテリ寿命と、ページングチャネル負荷とを節約することとなる。
【００５７】
当技術分野における熟練者であれば、これら情報および信号が、種々異なった技術やプロトコルを用いて表されることを理解するであろう。例えば、上述した記載で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００５８】
これらの知識によって、ここで開示された実施例に関連する様々に例示された論理ブロック、モジュール、回路、およびアルゴリズムステップが、電子工学ハードウェア、コンピュータソフトウェア、あるいはこれらの組み合わせとして適用されることが更に理解されよう。ハードウェアとソフトウェアとの相互互換性を明確に説明するために、様々に例示された部品、ブロック、モジュール、回路、およびステップが、それらの機能に関して一般的に記述された。それら機能がハードウェアとしてあるいはソフトウェアとして適用されているかは、特有の応用例および全体システムに課せられている設計条件による。熟練した技術者であれば、各特定のアプリケーションに応じて変更することによって上述した機能を実施しうる。しかしながら、この適用判断は、本発明の範囲から逸脱したものと解釈すべきではない。
【００５９】
様々に示された論理ブロック、モジュール、および上述された実施例に関連して記載された回路もまた実装され、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）またはその他のプログラマブル論理デバイス、ディスクリートゲートあるいはトランジスタ論理、ディスクリートハードウェア部品、あるいは上述された機能を実現するために設計された何れかの組み合わせとともに実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはその他の配置のような計算デバイスの組み合わせとして実装することも可能である。
【００６０】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭ、フラッシュメモリ、ＲＯＭ、ＥＰＲＯＭ、ＥＥＰＲＯＭ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣに収納することができる。ＡＳＩＣは、ユーザ端末内に収納することもできる。または、このプロセッサと記憶媒体が、ユーザ端末におけるディスクリートな部品として収納されることもある。
【００６１】
開示された実施例における上述の記載は、当該技術分野におけるいかなる人であっても、本発明の活用または利用を可能とするようになされている。これらの実施例への様々な変形例もまた、当該技術分野における熟練者に対しては明らかであって、ここで定義された一般的な原理は、本発明の主旨または範囲を逸脱せずに、例えばインスタントメッセージサービスや、任意の一般的な無線データ通信アプリケーションにおいて他の実施例にも適用されうる。このように、本発明は、上記で示された実施例に制限されるものではなく、ここで記載された原理と新規の特徴に一致した広い範囲に相当するものを意図している。
【図面の簡単な説明】
【００６２】
【図１】図１は、グループ通信システムを示す。
【図２】図２は、図１において動作している基地局及び移動局のための実施例を示す。
【図３】図３は、どのようにして幾つかの移動局がグループ通話サーバと対話するかを示す。
【図４】図４は、図１におけるグループ通話サーバのための実施例を示す。
【図５】図５は、通話設定処理を示す。
【図６】図６は、ネットワーク開始された情報配信処理のための通話シグナリング詳細を示す。
【図７】図７は、移動局のための位置情報をバッファする処理を示す。
【図８】図８は、グループ通信ネットワークの構成を示す。
【図９】図９は、グループ通信ネットワークの別の構成を示す。
【図１０】図１０は、ネットワーク開始された情報配信処理を示す。
【図１１】図１１は、登録処理を示す。
【図１２】図１２は、セルレイアウトを示す。
【図１３】図１３は、ページング処理を示す。
【図１】
0004522863.tif 000002
【図２】
0004522863.tif 000003
【図３】
0004522863.tif 000004
【図４】
0004522863.tif 000005
【図５】
0004522863.tif 000006
【図６】
0004522863.tif 000007
【図７】
0004522863.tif 000008
【図８】
0004522863.tif 000009
【図９】
0004522863.tif 000010
【図１０】
0004522863.tif 000011
【図１１】
0004522863.tif 000012
【図１２】
0004522863.tif 000013
【図１３】
0004522863.tif 000014